(57)【要約】  本発明は、空気清浄装置を開示する。該空気清浄装置は、フィルタスクリーンと、フィルタスクリーンタイプ決定要素と、フィルタスクリーン耐用期間決定要素と、を有する。該フィルタスクリーンは、空気中の粒子及び特定の化学物質の少なくとも１つをフィルタリングするためのものである。該フィルタスクリーンタイプ決定要素は、前記フィルタスクリーンのタイプを決定するよう構成される。該フィルタスクリーン耐用期間決定要素は、該決定された前記フィルタスクリーンのタイプ及び該フィルタスクリーンの使用状況に応じて、前記フィルタスクリーンが交換される必要があるか否かを決定するよう構成される。本発明の空気清浄装置により、種々のタイプ又は仕様のフィルタスクリーンの残りの耐用期間が得られ、フィルタスクリーンが交換される必要があることをユーザが促されることができ、いずれの時点においても好適な空気清浄効果をユーザが維持することを可能とする。
2018535380.tif 000002
【特許請求の範囲】
【請求項１】
空気中の粒子及び特定の化学物質の少なくとも１つをフィルタリングするための、フィルタスクリーンと、
前記フィルタスクリーンのタイプを決定するための、フィルタスクリーンタイプ決定要素と、
前記決定された前記フィルタスクリーンのタイプ及び前記フィルタスクリーンの使用状況に応じて、前記フィルタスクリーンが交換される必要があるか否かを決定するための、フィルタスクリーン耐用期間決定要素と、
を有することを特徴とする、空気清浄装置。
【請求項２】
前記空気清浄装置は、少なくとも２枚の前記フィルタスクリーンを有し、特定の化学物質をフィルタリングすることができる化学物質フィルタスクリーンと、粒子状物質をフィルタリングすることができる粒子状物質フィルタスクリーンと、を少なくとも含むことを特徴とする、請求項１に記載の空気清浄装置。
【請求項３】
前記空気清浄装置は更に、前面フィルタスクリーンを有することを特徴とする、請求項２に記載の空気清浄装置。
【請求項４】
前記フィルタスクリーンの使用状況は、フィルタリングされた空気の体積、設置されてからの継続時間、及び収集された粒子の量のうちの少なくとも１つから選択されることを特徴とする、請求項１に記載の空気清浄装置。
【請求項５】
前記空気清浄装置は更に、空気中の特定の汚染物質のレベルを検出し、前記検出された前記汚染物質のレベルと、汚染物質粒子が時間と共に蓄積されるときの前記空気清浄装置の空気取り入れ速度と、に基づいて収集された粒子の量を決定するよう構成された、汚染物質センサを有することを特徴とする、請求項４に記載の空気清浄装置。
【請求項６】
前記フィルタスクリーンタイプ決定要素は、ユーザからの手動の入力により、前記フィルタスクリーンのタイプを決定するよう構成されたことを特徴とする、請求項１に記載の空気清浄装置。
【請求項７】
前記空気清浄装置は更に、タグ検出器を有し、前記フィルタスクリーンは、前記タグ検出器により検出可能なコードを持つタグを持ち、前記フィルタスクリーンタイプ決定要素は、前記タグ検出器により検出されたタグのコードに応じて、前記フィルタスクリーンのタイプを決定するよう構成されたことを特徴とする、請求項１に記載の空気清浄装置。
【請求項８】
前記空気清浄装置は更に、前記フィルタスクリーンが交換される必要があるか否かに関するプロンプトを表示するための表示パネルを有することを特徴とする、請求項１乃至７のいずれか一項に記載の空気清浄装置。
【請求項９】
前記表示パネルは、ユーザに対して前記プロンプトを表示するためのプロンプト領域を有することを特徴とする、請求項８に記載の空気清浄装置。
【請求項１０】
前記表示パネルは、ユーザが前記フィルタスクリーンのタイプを手動で選択することを可能とするよう構成された、前記フィルタスクリーンタイプ決定要素を有することを特徴とする、請求項８に記載の空気清浄装置。
【発明の詳細な説明】
【技術分野】
【０００１】
本発明の実施例は一般的に空気清浄装置に関し、更に詳細には、異なるタイプ又は仕様のフィルタスクリーンに対し異なる清浄化性能を実現することが可能な空気清浄装置に関する。
【背景技術】
【０００２】
人々が空気の品質に関心を持つようになるにつれて、消費者が選択できる多くの種類の空気清浄装置が市場に提供されている。本分野においては、異なる用途に対しては異なるタイプ又は仕様のフィルタスクリーンが利用され得ることが、良く知られている。例えば、新たに改装された部屋においては、人間の体に対するホルムアルデヒドによる被害を適切に低減するよう、ホルムアルデヒドを除去できる空気清浄装置におけるフィルタスクリーンを用いることが常に望ましい。又は、周囲環境における空気品質が比較的悪い場合には、ユーザは空気清浄装置が空気中のより多くの粒子、特に２．５ミクロンより小さな直径を持つ粒子状物質（ＰＭ２．５）をフィルタリングできることを期待する。
【発明の概要】
【発明が解決しようとする課題】
【０００３】
しかしながら、既存の空気清浄装置は、ユーザがフィルタスクリーンを交換する必要がある場合に正確に及び知的に通知することができず、そのため、既に耐用期間を超過しているため、又は粒子状物質／化学物質を除去する能力の劣化のため、フィルタスクリーンが所望の正常化効果を達成できないようになる。
【０００４】
本発明の目的は、いつフィルタスクリーンが交換される必要があるか、及びどのフィルタスクリーンが交換されるべきであるかを、ユーザに正確に通知するよう、種々のタイプのフィルタスクリーンに対して、残りの耐用期間を自動的に得ることができるような、改善された空気清浄装置を提供することにある。
【課題を解決するための手段】
【０００５】
本発明の一態様によれば、フィルタスクリーンと、フィルタスクリーンタイプ決定要素と、フィルタスクリーン耐用期間決定要素と、を有する空気清浄装置が提供される。前記フィルタスクリーンは、空気中の粒子及び特定の化学物質の少なくとも１つをフィルタリングするためのものである。前記フィルタスクリーンタイプ決定要素は、前記フィルタスクリーンのタイプを決定するよう構成される。前記フィルタスクリーン耐用期間決定要素は、前記決定された前記フィルタスクリーンのタイプ及び前記フィルタスクリーンの使用状況に応じて、前記フィルタスクリーンが交換される必要があるか否かを決定するよう構成される。
【０００６】
本開示において、「フィルタスクリーンのタイプ」は、フィルタスクリーンの種々の機能に対応し、即ち空気中の粒子をフィルタリングするか、空気中の特定の化学物質をフィルタリングするか、該特定の化学物質とはどの化学物質であるか、等に対応する。「フィルタスクリーンのタイプ」はまた、例えば特定のフィルタスクリーンが空気を処理する総量又は能力等のような、フィルタスクリーンの種々の仕様に対応しても良い。本発明の実施例による空気清浄装置は、例えば残りの耐用期間の状況のような、空気清浄装置内の種々のフィルタスクリーンの使用状況を算出することができる。それ故、フィルタスクリーンについての、より正確な交換時間が取得され得、空気清浄装置の清浄化能力がフィルタスクリーンの耐用期間の超過により低下されることがなく、又は、耐用期間に到達する前のフィルタスクリーンの交換による無駄が生じない。
【０００７】
本発明の一実施例によれば、前記フィルタスクリーンの数は少なくとも２であっても良く、特定の化学物質をフィルタリングすることができる少なくとも１枚の化学物質フィルタスクリーンと、粒子状物質をフィルタリングすることができる粒子状物質フィルタスクリーンと、が含まれる。
【０００８】
本発明の一実施例によれば、前記空気清浄装置は更に、前面フィルタスクリーンを有しても良い。前記前面フィルタスクリーンは、大きな径の粒子又は毛髪をフィルタリングするために用いられても良い。
【０００９】
本発明の一実施例によれば、前記フィルタスクリーンの使用状況は、フィルタリングされた空気の体積、設置されてからの継続時間、及び収集された粒子の量のうちの少なくとも１つから選択されても良い。
【００１０】
本発明の一実施例によれば、前記空気清浄装置は更に、空気中の特定の汚染物質のレベルを検出し、前記検出された前記汚染物質のレベルと、汚染物質粒子が時間経過と共に蓄積されるときの前記空気清浄装置の空気取り入れ速度と、に基づいて収集された粒子の量を決定するよう構成された、汚染物質センサを有しても良い。
【００１１】
本発明の一実施例によれば、前記フィルタスクリーンタイプ決定要素は、ユーザからの手動の入力により、前記フィルタスクリーンのタイプを決定するよう構成されても良い。
【００１２】
本発明の一実施例によれば、前記空気清浄装置は更に、タグ検出器を有し、前記フィルタスクリーンは、前記タグ検出器により検出可能なコードを持つタグを持ち、前記フィルタスクリーンタイプ決定要素は、前記タグ検出器により検出されたタグのコードに応じて、前記フィルタスクリーンのタイプを決定するよう構成されても良い。
【００１３】
本発明の一実施例によれば、前記タグは無線識別（ＲＦＩＤ）タグであっても良い。
【００１４】
本発明の一実施例によれば、前記空気清浄装置は更に、前記フィルタスクリーンが交換される必要があるか否かに関するプロンプトを表示するための表示パネルを有しても良い。
【００１５】
本発明の一実施例によれば、前記表示パネルは、ユーザに対して前記プロンプトを表示するためのプロンプト領域を有しても良い。前記プロンプト領域は、例えばＰＭ２．５の数値等のような、現在の空気品質を表示するために用いられても良い。
【００１６】
本発明の一実施例によれば、前記表示パネルは、ユーザが前記フィルタスクリーンのタイプを手動で選択することを可能とするよう構成された、フィルタスクリーンタイプ決定要素を有しても良い。
【００１７】
本発明の実施例は一般的に、空気清浄装置が、種々のタイプのフィルタに応じて使用状況を取得／算出し、フィルタの仕様と該フィルタの使用状況を比較して、フィルタが交換される必要があるか否かを決定することを可能とし、斯かる変更が最適で妥当なものとなるようにし、フィルタを過度に早く又は過度に遅く交換してしまうことを防止するという利点を持つ。
【００１８】
本発明の実施例の以上の及びその他の目的、特徴及び利点は、添付図面を参照しながら、以下の詳細な説明を通して、容易に理解可能となるであろう。図面において、本発明の複数の実施例が、例示的で限定するものではない態様で示される。
【図面の簡単な説明】
【００１９】
【図１】本発明の実施例による空気清浄装置のブロック図を示す。
【図２】本発明の実施例による空気清浄装置の表示パネルの模式的な図を模式的に示す。
【発明を実施するための形態】
【００２０】
以下、本発明の原理が、図面に示された種々の実施例を参照しながら説明される。これら実施例の説明は、単に当業者が本発明を好適に理解し更に実装することを可能とするためのものであり、いずれの態様においても本発明の範囲を限定することを意図したものではないことは、理解されるべきである。好適な場合には、図面において同様の又は同一の参照番号が用いられ得、同様の又は同一の参照番号は同様の又は同一の機能を示し得ることは、留意されるべきである。当業者は、以下の説明において、ここで示される本発明の原理から逸脱することなく、本開示において示される構造及び方法の代替の実施例が利用され得ることを、容易に理解するであろう。
【００２１】
「有する」なる語及びその語形変化は、「含むが、これに限定するものではない」を意味する、広い意味として理解されるべきである。「又は」なる語は、本明細において別に明示的に言及されない限り、「及び／又は」とみなされるべきである。「基づく」なる語は、「少なくとも部分的に基づく」とみなされるべきである。「一実施例」及び「実施例」なる語は、「少なくとも１つの実施例」とみなされるべきである。「他の実施例」なる語は、「少なくとも１つの他の実施例」とみなされるべきである。別に規定又は限定されない限り、「装着」、「接続」、「支持」及び「結合」なる語並びにこれらの語形変化は広い意味で利用され、直接的及び間接的な装着、接続、支持及び結合を含む。更に、「接続」及び「結合」は、物理的又は機械的な接続又は結合に限定されない。以下の説明において、図１乃至２の複数の図において同一の、同様の又は対応する部分を示すために、同一の参照番号及び注記が用いられる。他の明示的な及び暗黙的な定義は、以下に含まれる。
【００２２】
図１は、本発明の実施例による空気清浄装置１００のブロック図を示す。空気清浄装置１００は一般的に、例えば埃、粒子及び様々な種類の有害な化学物質のような、空気中の様々な種類の望ましくない物質をフィルタリングするために用いられる。空気清浄装置１００は、筐体のなかに、フィルタスクリーン１１０を収容するための一定の空間を含んでも良い。該空間が一定の厚さ／深さを持つため、該空間は、フィルタリングされるべき様々な物質の種類について、複数の異なる又は同一のフィルタスクリーンを収容し得る。勿論、該空間は、１つのフィルタスクリーン１１０のみを収容しても良い。
【００２３】
本発明においては、フィルタスクリーン１１０のタイプは、該フィルタスクリーンの機能（例えばＰＭ２．５粒子又はホルムアルデヒド分子といった、フィルタリングされることができる物質の種類等）及び／又は仕様（例えば１００万立方メートルの空気を処理できるといった、どれだけの物質をフィルタリングし得るか等）を示す。ユーザの種々のニーズに基づいて、空気清浄装置１００内に種々のタイプのフィルタスクリーン１１０が配置され得る。空気がフィルタスクリーン１１０を通過するように空気を部屋空間に引き込み、次いでフィルタリングされた空気を空気清浄装置１００から排出することにより、空気中の有害な物質が効果的にフィルタリングされ除去され得る。
【００２４】
例えば、新たに改装された部屋においては、壁紙、床及び家具等が一般にかなりの量のホルムアルデヒドを発し、ホルムアルデヒドは人体にかなり有害であることが良く知られている。それ故、斯かる環境においてはユーザは、屋内の空気におけるホルムアルデヒド濃度を低下させるよう、ホルムアルデヒドを除去するのに特に有効なフィルタスクリーン１１０を用いることを希望する。更に、例えば霞んだ天候におけるように、屋外の空気品質が非常に悪い場合には、ユーザは、屋内の空気における粒子状物質濃度を低下させるよう、粒子状物質、特にＰＭ２．５（２．５ミクロンより小さい直径を持つもの）粒子物質を除去するのに特に有効なフィルタスクリーン１１０を用いることを希望する。ユーザはまた、複数の目的を達するため、空気清浄装置１００において種々のタイプのフィルタスクリーン１１０を用い得る。
【００２５】
一実施例においては、空気清浄装置１００はまた、フィルタスクリーン１１０の前方において空気清浄装置１００に配置された、前面フィルタ（図示されていない）を有しても良い。該前面フィルタは、例えば１０ミクロンよりも大きい径を持つ粒子のような大きな粒子状物質、毛、埃及び綿のような物質をフィルタリングするために用いられても良い。フィルタスクリーン１１０は、タグを持っても良く、ユーザが、該タグ上の情報に基づいてフィルタスクリーンのタイプを決定しても良い。一実施例においては、該タグ上の情報／コードは、空気清浄装置１００により読み取られる。斯かる例は、以下に説明される。
【００２６】
フィルタスクリーン１１０は、タグを持っても良く、ユーザが、空気清浄装置１００に装着されたフィルタスクリーン１１０のタイプを決定するために用いられ得るフィルタスクリーンタイプ決定要素１２０のタイプを決定しても良い。一例においては、フィルタスクリーンタイプ決定要素１２０は、フィルタスクリーン１１０のタイプを決定するためのユーザ命令を受信する。他の例においては、フィルタスクリーンタイプ決定要素１２０は、フィルタスクリーン１１０のタイプを決定するためのタグ検出器（図示されていない）からの信号を受信する。該タグ検出器は、フィルタスクリーン１１０上のタグの情報／コードを検出又は走査し、信号として送信された取得された情報／コードに従ってフィルタスクリーン１１０のタイプを決定する。一例においては、フィルタスクリーン１１０上のタグはＲＦＩＤタグであっても良く、タグ検出器はＲＦＩＤスキャナである。
【００２７】
本発明の実施例による空気清浄装置１００は更に、フィルタスクリーンタイプ決定要素１２０により決定されたフィルタスクリーン１１０のタイプと、フィルタスクリーン１１０のユーザ状況と、に応じて、フィルタスクリーン１１０が交換される必要があるか否かを決定する、フィルタスクリーン耐用期間決定要素１３０を有する。一例においては、フィルタスクリーン１１０のユーザ状況は、（１）フィルタリングされた空気の体積、（２）設置後の経過時間、及び（３）集められた粒子の量、のうちの少なくとも１つから選択されても良い。粒子用のフィルタスクリーン１１０については、使用状況は、パラメータ（１）、（２）及び（３）に従って決定されても良く、設計耐用期間は、例えば以下の表１に示されるような仕様により決定される。
【表１】
2018535380.tif 000003
【００２８】
以上の表１は、種々のコードのフィルタスクリーン１１０に対応する、設計耐用期間を示す。Ｈ１乃至Ｈ６は、フィルタスクリーン１１０のコードを表す。Ｈは、フィルタスクリーン１１０が空気中の粒子状物質をフィルタリングするためのものであることを示し、数字１乃至６は、フィルタスクリーン１１０の設計された許容されるフィルタ量を示す。フィルタリングされる空気体積の設計最大値は、上述した（１）フィルタリングされた空気の体積に対応し、集められた粒子の量の設計最大値は、上述した（３）集められた粒子の量に対応し、設置後の経過時間の設計最大値は、上述した（２）設置後の経過時間に対応する。
【００２９】
種々のタイプのフィルタスクリーンは、例えばＣ及びＨの他の、いずれのエンコード論理を用いて分類されても良く、いずれかの文字又は記号が、フィルタスクリーンの機能を示し得、予約された数字及び数字以外のいずれかの記号が、フィルタスクリーンの仕様を表すために用いられても良い。
【００３０】
一実施例においては、例えば３つのパラメータ（１）乃至（３）のいずれか１つのような、フィルタスクリーン１１０の仕様状況が、表１における設計最大値に到達した場合、このことはフィルタスクリーン１１０のフィルタ能力及び性能が、非理想的状態へと低下し、それ故フィルタスクリーンが交換される必要があることを示す。しかしながら、他の実施例においては、該３つのパラメータのうち少なくとも２つが、表１における設計最大値に到達した場合に、フィルタスクリーン１１０が交換される必要があることを示すとすることも可能である。
【００３１】
３つのパラメータ（１）乃至（３）は、一例においては、以下の算出により導出される。（１）フィルタリングされた空気の体積については、該値は、モータ動作の総時間（例えば時間の単位）により乗算された、流入空気の流量（例えばｍ３／時間の単位）に等しく、（２）設置後の経過時間については、該値は、空気清浄装置１００が電源供給されているか又は動作しているか否かにかかわらず、フィルタスクリーンが設置されてから経過した総時間に等しく、（３）集められた粒子の量は、モータ動作の総時間（例えば時間の単位）により乗算された、流量（例えばｍ３／時間の単位）により乗算された、ＰＭ２．５の値（例えばｍｇ／ｍ３の単位）に等しく、即ちフィルタリングされた空気の体積（例えばｍ３の単位）により乗算された、ＰＭ２．５の値（例えばｍｇ／ｍ３の単位）に等しい。流入空気の流量は、空気清浄装置１００におけるセンサ（図示されていない）によって導出されても良いし、又はモータの回転速度から間接的に導出されても良い。
【００３２】
以上の実施例は、ＰＭ２．５の値に基づくフィルタスクリーンの使用状況の決定を模式的に示すが、フィルタスクリーンの使用状況は、他の粒子状物質について決定されても良い。例えば、空気清浄装置１００は、空気中の特定の汚染物質粒子のレベルを検出するための様々な種類のセンサを有しても良く、空気清浄装置１００における種々の空気流入速度に対応する、汚染物質の除去速度の対応する関係に応じて、汚染物質粒子の除去速度を取得する。最後に、経過時間を用いて、フィルタスクリーンの使用状況が算出される。これにより、空気清浄装置１００は、様々な種類の汚染物質粒子を検出及び清浄化するよう構成され得る。
【００３３】
特定の化学物質用のフィルタスクリーン１１０について、該フィルタスクリーンの使用状況は、パラメータ（１）及び（２）に応じて決定されても良く、設計耐用期間は、例えば以下の表２に示されるような該フィルタスクリーンの仕様により決定される。
【表２】
2018535380.tif 000004
【００３４】
以上の表２は、種々のコードのフィルタスクリーン１１０に対応する、設計耐用期間を示す。Ｃ１乃至Ｃ６は、フィルタスクリーン１１０のコードを表す。Ｃは、フィルタスクリーン１１０が例えばホルムアルデヒドのような空気中の特定の化学物質をフィルタリングするためのものであることを示し、数字１乃至６は、フィルタ１１０によりフィルタリングする設計された許容量を示す。フィルタリングされる空気体積の設計最大値は、上述した（１）フィルタリングされた空気の体積に対応し、設置後の経過時間の設計最大値は、上述した（２）設置後の経過時間に対応する。他の化学物質のためのフィルタスクリーン１１０が導入されても良く、Ｃ及びＨ以外の字又はその他の記号が、コードとして用いられても良いことは、理解されるべきである。
【００３５】
一実施例においては、例えば２つのパラメータ（１）及び（２）のいずれか一方のような、フィルタスクリーン１１０の仕様状況が、表２における設計最大値に到達した場合、このことはフィルタスクリーン１１０のフィルタ能力及び性能が、非理想的状態へと低下し、それ故フィルタスクリーンが交換される必要があることを示す。しかしながら、他の実施例においては、該２つのパラメータの両方が、表２における設計最大値に到達した場合に、フィルタスクリーン１１０が交換される必要があることを示すとすることも可能である。
【００３６】
２つのパラメータ（１）及び（２）は、上述した算出態様により得られ得るため、ここでは詳細に説明されない。
【００３７】
他の実施例においては、例えば特定のフィルタスクリーンが設置された後のモータ動作の積算時間のような他のパラメータが、フィルタスクリーンの使用状況を決定するために用いられても良い。これら他のパラメータは、上述した実施例と同様の態様でフィルタスクリーンの使用状況を決定するために用いられ得るため、本発明の保護範囲内に含まれる。
【００３８】
一実施例においては、図１を参照すると、空気清浄装置１００は更に、フィルタスクリーン１１０が交換される必要があるか否かのプロンプトを表示するための、表示パネル２００を有しても良い。具体的には、表示パネル２００は、フィルタスクリーンタイプ決定要素１２０により送信された、決定されたフィルタスクリーン１１０のタイプを受信しても良く、フィルタスクリーン耐用期間決定要素１３０による、フィルタスクリーン１１０が交換される必要があるか否かのプロンプト信号も受信しても良い。表示パネル２００はまた、空気清浄装置１００の動作を設定するため、空気清浄装置１００とユーザがインタラクトし得るような、ユーザインタフェースを有しても良い。インタラクション手順は、以下に図２を参照しながら詳細に説明される。
【００３９】
図２は、本発明の実施例による表示パネル２００及び空気清浄装置１００の模式的な図を模式的に示す。
【００４０】
一実施例においては、表示パネル２００は、ユーザに対し種々のプロンプト情報を表示するために用いられるプロンプト領域２４０を有しても良い。プロンプト領域の幾つかの例は、本発明を限定するのではなく説明するため、以下に示される。中央領域２４９は、交換されるべきフィルタスクリーン１１０のタイプ、空気品質データ（例えばＰＭ２．５の現在値）及びロック状態等を表示するために用いられても良い。前面フィルタスクリーン警報アイコン２４１は、前面フィルタスクリーンが交換される必要があることをユーザに警告するよう、光を発するために用いられても良い。フィルタスクリーン警報アイコン２４２は、ユーザが少なくとも１つのフィルタスクリーン１１０を交換する必要があることをユーザに警告するため光を発するために用いられても良く、交換される必要があるフィルタスクリーン１１０のタイプが、中央領域２４９に表示されても良い。空気取り入れ流量表示２４４乃至２４８は、動作する空気清浄装置１００の空気取り入れ流量を表示するよう、それぞれが光を発するために用いられても良く、空気取り入れ流量は、フィルタの能力に直接に関連する。当該特定の例においては、空気取り入れ流量は、２４４から２４８へと徐々に増大する。自動モード表示２４３は、空気清浄装置１００の空気取り入れ流量が、自動調節状態にあることを表示するため光を発するために用いられても良く、ここで自動調節された空気取り入れ流量は例えば、現在の空気品質データに応じて決定されて、次いで自動的に設定されても良い。
【００４１】
一実施例においては、表示パネル２００はまた、ユーザがフィルタスクリーン１１０のタイプを手動で選択するよう構成された、上記したフィルタスクリーンタイプ決定要素１２０を有しても良い。図２に示された例においては、フィルタスクリーンタイプ決定要素１２０は、スイッチボタン２１０、照明ボタン２２０及び回転つまみ２３０を有しても良い。場面Ａにおいては、ユーザは、前面フィルタスクリーン警報アイコン２４１及びフィルタスクリーン警報アイコン２４２に従って、対応するフィルタスクリーン１１０を交換しても良い。又は、場面Ｂにおいては、ユーザは、これら警告を得る前に、所望のフィルタスクリーン１１０を自発的に強制的に交換しても良い。更に、場面Ｃにおいては、ユーザは、任意の時点でフィルタスクリーンを取り出して、別のタイプの新しいフィルタスクリーンに交換しても良い。以上の動作はいずれも、表示パネル２００を介して（特にスイッチボタン２１０、照明ボタン２２０及び回転つまみ２３０を介して）、新たに追加されたフィルタスクリーンを設定することができ、それにより、該新たに追加されたフィルタスクリーンの使用条件及び耐用期間の算出を初期化する。以下、これら設定の手順が詳細に説明される。
【００４２】
場面Ａについては、空気清浄装置１００が通常に動作する場合には、中央領域２４９はＰＭ２．５の数値を表示しても良く、一方で、フィルタスクリーン耐用期間決定要素１３０が、特定のフィルタスクリーンが交換される必要があると決定した場合には、中央領域２４９は該数値の表示を停止し、交換される必要があるフィルタスクリーン１１０のタイプのみを表示しても良い。交換される必要があるものが前面フィルタスクリーンである場合には、前面フィルタスクリーン警報アイコン２４１が光を点滅させ又は定常的に点灯させ、同時に、中央領域２４９が、前面フィルタスクリーンが交換される必要があることをユーザに通知するため「ＰＲＥ」と表示しても良い。交換される必要があるものがフィルタスクリーン１１０である場合には、フィルタスクリーン警報アイコン２４２が光を点滅させ又は定常的に点灯させ、同時に、中央領域２４９が対応するフィルタスクリーン１１０のタイプ（例えば以上の実施例によればＣ１乃至Ｃ６及びＨ１乃至Ｈ６のいずれか１つ）を表示しても良い。１枚よりも多いフィルタスクリーン１１０が交換される必要がある場合には、フィルタスクリーン警報アイコン２４２が、光を点滅又は定常的に点灯させ、同時に、中央領域２４９が、代替としてこれらフィルタスクリーン１１０に対応するタイプを表示しても良い。ユーザが手動でフィルタスクリーン１１０を交換し、一定の時間（例えば３秒）の間スイッチボタン２１０を押下して、交換の完了を示すと、空気清浄装置１００のフィルタスクリーン耐用期間決定要素１３０が、新たに交換されたフィルタスクリーン１１０の使用状態の再算出を開始する。更に、前面フィルタスクリーン警報アイコン２４１又はフィルタスクリーン警報アイコン２４２が、光の点滅又は定常的な点灯を停止し、中央領域２４９が、ＰＭ２．５の数値のような情報の表示を再開する。
【００４３】
場面Ｂについては、空気清浄装置１００が通常に動作する場合には、中央領域２４９はＰＭ２．５の数値を表示しても良い。ユーザが（フィルタスクリーンの使用状態が、以前として設計耐用期間内であっても）特定のフィルタスクリーンを強制的に交換したいと欲する場合には、スイッチボタン２１０と照明ボタン２２０とが一定の時間（例えば３秒）の間同時に押下されても良い。次いで中央領域２４９が、ＰＭ２．５の数値のような情報の表示を停止し、フィルタスクリーン１１０のタイプのみを表示する。ユーザは、回転つまみ２３０を用いて装着されたフィルタスクリーン１１０を選択し、どのフィルタスクリーンを別のタイプに変更したいかを選択する。ユーザが手動でフィルタスクリーン１１０を交換して、スイッチボタン２１０が一定の時間（例えば３秒）の間押下されて、交換の完了を示した後、ユーザは、別のフィルタスクリーンを交換することを継続して選択しても良いし、又は回転つまみ２３０により通常の動作モードに戻っても良い。別のフィルタスクリーンを交換することが望まれた場合には、以上の処理が繰り返されても良い。通常の動作モードに戻ることが望まれた場合には、スイッチボタン２１０と照明ボタン２２０とが一定の時間（例えば３秒）の間同時に押下されても良く、空気清浄装置１００のフィルタスクリーン耐用期間決定要素１３０が、新たに交換されたフィルタスクリーン１１０の使用状態の再算出を開始する。更に、中央領域２４９が、ＰＭ２．５の数値のような情報の表示を再開する。
【００４４】
場面Ｃについては、空気清浄装置１００が通常に動作する場合には、中央領域２４９はＰＭ２．５の数値を表示しても良い。ユーザが特定のフィルタスクリーンを強制的に交換したいと欲し、別のタイプの新たなフィルタスクリーンに交換する場合には、スイッチボタン２１０と照明ボタン２２０とが一定の時間（例えば３秒）の間同時に押下されても良い。次いで中央領域２４９が、ＰＭ２．５の数値のような情報の表示を停止し、フィルタスクリーン１１０のタイプのみを表示する。ユーザは、回転つまみ２３０を用いて装着されたフィルタスクリーン１１０を選択し、どのフィルタスクリーンを当該タイプに変更したいかを選択する。中央領域２４９が、タイプがユーザにより変更されることが欲せられているフィルタスクリーンの現在のタイプを表示している場合には、照明ボタン２２０が短く押下されても良い。その後ユーザは、回転つまみ２３０を回転させることにより交換したいと欲する新たなフィルタスクリーンのタイプ（空のセット、即ち新たなフィルタスクリーンに交換することなく単にフィルタスクリーンを取り外すことを含む）を選択しても良く、次いで再びスイッチボタン２１０と照明ボタン２２０とを一定の時間（例えば３秒）の間同時に押下し、更に空気清浄装置１００のフィルタスクリーン耐用期間決定要素１３０が、新たに交換されたフィルタスクリーン１１０の使用状態の再算出を開始する。更に、中央領域２４９が、ＰＭ２．５の数値のような情報の表示を再開する。
【００４５】
表示パネル２００は更に、例えば照明ボタン２２０を短く押下して中央領域２４９を照明する、照明ボタン２２０を一定の時間（例えば３秒）の間押下してロックモードを起動する、といった幾つかの他の操作を含んでも良く、ここで該ロックモードにおいては、スイッチボタン２１０及び回転つまみ２３０の操作並びに照明ボタン２２０の短い押下が無効とされ、ユーザは照明ボタン２２０を一定の時間（例えば３秒）の間押下することによってのみ該ロックモードを解除できる。ロックモードの起動の際、現在ロックモードであること示すために照明された、対応するアイコンを持っても良い。これに加え、表示パネル２００は更に、現在の屋内の空気品質を直観的に示すよう、検出された空気品質に応じて発せられる光の色を変更できる、発光部を持っても良い。
【００４６】
表示パネル２００の種々の特徴及び機能の上述した記載は、単に説明のためのものであり、限定するものではないことは、理解されるべきである。本発明の精神及び範囲内において、表示パネル２００の種々の特徴を対応して調節することも可能である。
【００４７】
本発明の実施例による空気清浄装置は、異なるタイプのフィルタの使用条件の取得／フィルタの使用条件の該フィルタの仕様との比較を行うことが可能であり、次いでフィルタが交換されるべきか否かを決定することができる。斯かる交換は好適でありより個別化され、更に過度に早く又は過度に遅くフィルタを交換することを防止する。更に、表示パネルにおいて種々の動作を導入することにより、同じタイプの新たなフィルタスクリーンに交換するか別のタイプの新たなフィルタスクリーンに交換するかにかかわらず、フィルタスクリーンが直観的に且つ迅速に交換されることができる。
【００４８】
本発明の他の態様によれば、空気清浄装置のための制御パネルが提供され、該空気清浄装置は、少なくとも１つのフィルタスクリーンを有し、該フィルタスクリーンのタイプ及び使用状況に応じて、該フィルタスクリーンが交換される必要がある場合に、該制御パネルを通して警告情報を表示することが可能であり、該制御パネルは、該空気清浄装置における全てのフィルタスクリーンのタイプ、及び検出された空気品質を表示することができる、表示領域と、ユーザがフィルタスクリーンの使用状況を初期化する及び／又はフィルタスクリーンのタイプを選択するための入力領域と、を有する。
【００４９】
一実施例によれば、該空気清浄装置が、フィルタスクリーンが交換される必要があることを検出すると、該表示領域は、交換される必要があるフィルタのタイプを表示する。
【００５０】
一実施例によれば、該入力領域は、スイッチ領域を有し、該空気清浄装置は、第１の所定の時間長よりも短い時間だけ該スイッチ領域を押下することにより開始される又は閉じられることができ、少なくとも１つのフィルタスクリーンが交換を必要とすることが検出されば場合、第１の所定の時間長だけ該スイッチ領域を押下することにより、表示領域に表示されている当該タイプのフィルタスクリーンの使用状況が初期化されることができる。
【００５１】
一実施例によれば、該入力領域は更に照明領域を有し、第２の所定の時間長よりも短い時間だけ該照明領域を押下することにより、該照明領域の照明がスイッチオン又はオフされることができ、第２の所定の時間長だけ該照明領域を押下することにより、ユーザが所定の時間長まで該照明領域を再び押下するまで、入力領域がディスエーブルにされても良い。
【００５２】
一実施例によれば、該入力領域は更に回転つまみを有し、第３の所定の時間長だけスイッチ領域と照明領域とを同時に押下した後、該空気清浄装置において交換が必要なフィルタスクリーンが該回転つまみにより選択されることができ、第１の所定の時間長だけスイッチ領域を押下することにより、表示領域に表示されているタイプのフィルタスクリーンの使用状況が初期化されることができる。
【００５３】
一実施例によれば、第３の所定の時間長だけスイッチ領域と照明領域とを同時に押下し、該空気清浄装置において交換が必要なフィルタスクリーンが選択された後に、表示領域に表示されているタイプのフィルタスクリーンのタイプが、回転つまみにより変更され、第２の所定の時間長よりも短い間照明領域を押下することにより、変更されることができる。
【００５４】
請求の範囲は本発明の特定の特徴に関して記載されているが、本発明の範囲は、現在請求項されているいずれかの請求項と同一の方法を含むか否かにかかわらず、いずれの明示的な若しくは暗黙的な新規な特徴、そのいずれかの一般化、又は特徴のいずれかの新規な組み合わせを更に含むことは、理解されるべきである。本出願人はここで、本出願又は本出願から導かれるいずれかの更なる出願の手続きの間に、斯かる特徴及び／又は斯かる特徴の組み合わせに対して、新たな請求項が作成され得ることを注記しておく。
【図１】
2018535380.tif 000005
【図２】
2018535380.tif 000006
【国際調査報告】
2018535380.tif 000007
2018535380.tif 000008